(57)【特許請求の範囲】
【請求項１】
純粋蒸気を製造する装置であって、加熱器の機能を備えた加熱缶部（１０）と、蒸気を発生させる機能とサイクロン（８）による気液分離機能を備えた蒸発缶部（２０）とを上下一体に結合したものからなり、前記加熱缶部（１０）は供給水取入口（１）から取入れた供給水を伝熱管（２、３）を通して加熱し発生蒸気の圧力で蒸気と液滴の混合状態にして蒸発缶部（２０）の上部受入口（４）にダイレクトに圧送する構成とされ、また蒸発缶部（２０）には上部受入口（４）から圧送された蒸気の混合体が前記装置の中心部に設けられた円筒部（５）内を下降して下部膨張室（６）で膨張拡散するように機能する蒸発缶構造と、膨張室（６）から環状室（７）を上昇して圧力を高め、上記円筒部の外周に設けられたサイクロン（８）により中心内方へ向かって旋回しながら更に液滴を分離して取出口（９）より連続的に取出すように機能する分離器構造とを、備えてなることを特徴とする純粋蒸気製造装置。
【請求項２】
加熱缶部（１０）の伝熱管（２、３）をストレート管往復型として構成してなることを特徴とする請求項１記載の純粋蒸気製造装置。
【請求項３】
蒸発缶部（２０）の環状室（７）のサイクロン（８）を円周等間隔に数ケ所設けるとともに、環状室（７）から中心内方へ向って旋回しながら下降した後再び上昇するようにサイクロン室（１１）に隔壁（１２）を設けてなることを特徴とする請求項１記載の純粋蒸気製造装置。
【発明の詳細な説明】
【０００１】
【発明の属する技術分野】
本発明は、製薬及び食品製造の分野で使用される純粋蒸気製造装置に関するものである。
【０００２】
【従来の技術】
この種の装置では、加熱缶と蒸発缶及び気液分離器の３構成からなり、供給水をプレヒーターで加温した後加熱缶へ流入し、発生蒸気により蒸気とし飽和水の気液２相流体で蒸発缶に流入させ、蒸発缶で発生した蒸気は気液分離器に送入され液滴が分離されて純粋蒸気が製造されるものであるが、従来の装置では、図５に示すように夫々に独立した構造の加熱器５１と蒸発缶５２、及び分離器５３を、主配管５４で接続する構成であった。
【０００３】
【発明が解決しようとする課題】
従って、このような従来の装置では、加熱器と蒸発缶、及び分離器を夫々に独立したものとして個別に製造する上に、配管で接続するものであるから広大な面積の設置場所が必要で、また配管の手間及び製作、管理等の面でコスト高になるのを避け得ないという問題点を有していた。
【０００４】
本発明は、従来の技術のこのような問題点に鑑みてなされたものであり、その目的とするところは、加熱缶と蒸発缶及び気液分離器を１つに構成して配管による接続を無くすことによって、前述の問題点を解消しょうとするものである。
【０００５】
【課題を解決するための手段】
上記の課題を解決するため、本発明に係る純粋蒸気製造装置は、純粋蒸気を製造する装置であって、加熱器の機能を備えた加熱缶部（１０）と、蒸気を発生させる機能とサイクロン（８）による気液分離機能を備えた蒸発缶部（２０）とを上下一体に結合したものからなり、前記加熱缶部（１０）は供給水取入口（１）から取入れた供給水を伝熱管（２、３）を通して加熱し発生蒸気の圧力で蒸気と液滴の混合状態にして蒸発缶部（２０）の上部受入口（４）にダイレクトに圧送する構成とされ、また蒸発缶部（２０）には上部受入口（４）から圧送された蒸気の混合体が前記装置の中心部に設けられた円筒部（５）内を下降して下部膨張室（６）で膨張拡散するように機能する蒸発缶構造と、膨張室（６）から環状室（７）を上昇して圧力を高め、上記円筒部の外周に設けられたサイクロン（８）により中心内方へ向かって旋回しながら更に液滴を分離して取出口（９）より連続的に取出すように機能する分離器構造とを、備えてなるものである。
【０００６】
そして、上記装置は、加熱缶部１０の伝熱管２.３を、ストレート管往復型として構成することが好ましい。
【０００７】
また、同様の目的で、蒸発缶部２０の環状室７のサイクロン８を円周等間隔に数ヶ所設けるとともに、環状室７から中心内方へ向かって旋回しながら下降した後再び上昇するようにサイクロン室１１に隔璧１２を設けることもできる。
【０００８】
【発明の実施の形態】
以下、本発明の実施例を図１乃至図４に基づいて説明する。
【０００９】
図１に示すように、加熱缶部１０は、本体ケース１０ａの外面に熱源を取入れる加熱蒸気入口１０ｂと同出口１０ｃを開設し、中空内部にストレート管往復型の伝熱管２、３を設けたものからなる。伝熱管２、３の各上端口は隔板１０ｄで仕切られた上部室１０ｅに開口し中心部の伝熱管３の下端口は蒸発缶２０の上部受入口４に開口し、その他の伝熱管３の各下端口は下部室１４に夫々開口している。
【００１０】
蒸発缶部２０は、図１乃至図２に示すように円筒状の缶胴ケース２０ａをアウターケースにして、その内部に同心に円筒部５と、環状の隔壁１２及びその外周サイクロン外筒１３とを一体に設けたものからなる。円筒部５は上部端板１５に吊持状に支持されてその上部受入口４に伝熱管２の下端口が開口するように臨ませている。円筒部５の下端口５ａは缶胴ケース２０ａの底部との間に下部膨張室６となる空間を形成している。
【００１１】
サイクロン８は図３乃至図４に示すようにサイクロン外筒１３の上部の外周面に中心内方に向かって旋回流が生じるように接線方向に切設した複数の窓孔８ａと奥に向かう程細巾の通路８ｂを形成するように区切られたガイド小片８ｃとで形成され、円周等間隔に３乃至４箇所設けるものとする。
【００１２】
【作用】
熱源としての加熱蒸気を加熱蒸気入口１０ｂより加熱缶部１０内に送り込むと、蒸気は缶内に充満して同出口１０ｃより流出するからこの加熱蒸気の送入及び流出の加減により缶内を所定の温度に保ち、伝熱管２．３を加熱する。
【００１３】
この状態で供給水を供給水入口１より供給すると、この供給水は下部室１４より伝熱管２を通って上部室１０ｅに至り、さらにこの上部室１０ｅより中心部の伝熱管３を通って蒸発缶部２０の円筒部５の上部受入口４に送入される。この為供給水は伝熱管２、３を往復通過する間に所定の高温度に加熱されて蒸気が発生し、さらにその圧力で蒸気と飽和水の気液２相流体で円筒室５へ圧送され下端口より膨張室６を経て環状室７を上昇し圧力を高めながらサイクロン８により中心内方へ向かう旋回流となってサイクロン室１１及び隔壁１２の内側の圧力路１５を上昇し分離室１６より取出口９へ送出されるものであって、このような流れの間に最終的に液滴が分離除去されて高純度の蒸気が得られるものである。
【００１４】
尚、分離室１６には液滴のドレン管１７が設けられていて余剰の液滴をドレンとして回収する。
【００１５】
【発明の効果】
以上説明したように本発明の純粋蒸気製造装置は、加熱器の機能を備えた加熱缶部と、蒸気を発生させる機能と気液分離機能を備えた蒸発缶部とを上下一体に結合したものからなり、前記加熱缶部は供給水取入口から取入れた供給水を伝熱管を通して加熱し発生蒸気の圧力で蒸気と液滴の混合状態にして蒸発缶部の上部受入口にダイレクトに圧送する構成とされ、また蒸発缶部には上部受入口から圧送された蒸気の混合体が円筒部内を下降して下部膨張室で膨張拡散するように機能する蒸発缶構造と、膨張室から環状室を上昇して圧力を高め、サイクロンにより旋回しながら更に液滴を分離して取出口より連続的に取出すように機能する分離機器構造とを、備えたものであるから、供給水取入口から供給水を供給しながら加熱器と蒸発缶及び分離器の機能を備えた１つの装置から連続的に高純度の純粋蒸気が得られるものであり、従来のように加熱器と蒸発缶及び分離器の夫々が独立し夫々を配管に接続したもののように、広大な設置場所を必要としないで、簡易に狭い場所での設置が可能であり、而も配管による接続の手間が省け、製作、管理も簡単となるため、コスト的にも有利である。
【図面の簡単な説明】
【図１】本発明の一実施例を示す純粋蒸気製造装置の全体構造の縦断側面図である。
【図２】図１における下半部の拡大した断面図である。
【図３】図２におけるＡーＡ線矢視の拡大した横断平面図である。
【図４】サイクロン部分の拡大した矢視である。
【図５】従来の装置の配置図である。
【符号の説明】
１      供給水取入口
２．３  伝熱管
４      上部受入口
５      円筒部
６      膨張室
７      環状室
８      サイクロン
９      取出口
１０    加熱缶部
１１    サイクロン室
１２    隔壁
１３    サイクロン外筒
１４    下部室
２０    蒸発缶部
【図１】
0003658702.tif 000002
【図２】
0003658702.tif 000003
【図３】
0003658702.tif 000004
【図４】
0003658702.tif 000005
【図５】
0003658702.tif 000006